(57)【要約】      （修正有）【課題】衝撃や振動を受けた後でも、情報の記録／再生を正確に行うことができる光ピックアップを提供する。【解決手段】リードスクリュー６２の回転を直線運動に変換する伝達歯部５１１と、直線移動の先端部に設けられた緩衝部５３とを備え、緩衝部５３はシャーシに形成されたストッパ部３０１と接触する平板状の接触部５３１と、接触部５３１と先端部とを連結する連結部５３２とを備えており、連結部５３２は前記光ピックアップ５の移動の中心線よりも、リードスクリュー６２側に配置されており、リードスクリュー６２から離れる方向に曲がるように形成されている光ピックアップ５。【選択図】図４
2010176721.tif 000002
【特許請求の範囲】
【請求項１】
側部に設けられ、シャーシに取り付けられた回転自在のリードスクリューの溝に嵌合し、前記リードスクリューの回転を直線運動に変換する伝達歯部と、
直線移動の先端部に設けられた緩衝部とを備え、回転している光ディスクに光を照射し情報の記録／再生を行う光ピックアップであって、
前記緩衝部は前記シャーシに形成されたストッパ部と接触する平板状の接触部と、前記接触部と前記先端部とを連結する連結部とを備えており、
前記連結部は前記光ピックアップの重心が移動する線よりも、前記リードスクリュー側に配置されており、前記先端部と連結する側の端部が前記リードスクリューから離れる方向に曲がるように形成されていることを特徴とする光ピックアップ。
【請求項２】
前記光ピックアップは前記シャーシに設けられたガイドシャフトと係合し、前記リードスクリューからの動力が伝達される駆動力伝達部を備えており、
前記先端部、前記緩衝部及び前記伝達歯部が前記駆動力伝達部に備えられている請求項１に記載の光ピックアップ。
【請求項３】
前記連結部は前記駆動力伝達部の移動方向の中心線よりもリードスクリュー側にずれた位置に設けられている請求項２に記載の光ピックアップ。
【請求項４】
前記接触部は矩形状の平板部材であり、前記連結部は少なくとも前記接触部の前記伝達歯部が設けられている側の縁部と前記先端部とを連結している請求項２又は３に記載の光ピックアップ。
【請求項５】
前記連結部は前記光ピックアップの移動方向と直交する面で切断した断面がＬ字形状である請求項１から請求項４のいずれかに記載の光ピックアップ。
【発明の詳細な説明】
【技術分野】
【０００１】
本発明は、光ディスクに光を照射し情報を記録する又は再生する光ピックアップ装置を備えた光ディスク装置に関するものである。
【背景技術】
【０００２】
ＣＤ（Ｃｏｍｐａｃｔ Ｄｉｓｃ）、ＤＶＤ（Ｄｉｇｉｔａｌ Ｖｅｒｓａｔｉｌｅ Ｄｉｓｃ）、ＢＤ（Ｂｌｕ−Ｒａｙ Ｄｉｓｃ）等の光ディスクを記録媒体として用いる光ディスク装置では、光ピックアップより出射されたレーザ光を光ディスクの記録面に集光させて照射することでデータの記録を行い、及び（又は）前記記録面に照射され反射してきたレーザ光を検出して、情報の再生を行っている。
【０００３】
従来の光ディスク装置について図面を参照して説明する。図９は従来の光ディスク装置を上方から見た概略構成図である。図９に示すように光ディスク装置Ｃは、枠体であるメインシャーシ９１と、光ディスクが載置されメインシャーシ９１に出し入れ可能に配置されたディスクトレイ９２と、メインシャーシ９１に取り付けられディスクトレイ９２に対して昇降可能な昇降シャーシ９３と、昇降シャーシ９３に取り付けられたディスク駆動部９４と、ディスク駆動部９４に対して接近／離反するように昇降シャーシ９３に取り付けられた光ピックアップ９５とを備えている。
【０００４】
昇降シャーシ９３は平面視矩形状であり、長手方向の一方の端部をメインシャーシ９１に取り付けられている。昇降シャーシ９３はディスクトレイ９２が所定の位置に移動したとき、ディスクトレイ９２に向けて上昇する。昇降シャーシ９３は上面にディスク駆動部９４を備えている。ディスク駆動部９４はモータ９４１と、モータ９４１の出力軸に固定され、光ディスクを載置するためのターンテーブル９４２を備えている。光ディスクが所定の位置まで搬入されたとき、昇降シャーシ９３が光ディスクに向かって上昇し、ターンテーブル９４２で光ディスクを保持する。ターンテーブル９４２は中央に凸部を備えており、その凸部が光ディスクの中心に形成されている孔を貫通する。
【０００５】
また、昇降シャーシ９３は光ピックアップ９５が配置された矩形状の配置孔９３０が形成されており、配置孔９３０は昇降シャーシ９３の長手方向に伸びる長辺を有しており、光ピックアップ９５はこの配置孔９３０の内部をディスク駆動部９４に対して接近／離反する。また昇降シャーシ９３はこの配置孔９３０を長手方向に横断するように配置された一対のガイドシャフト９３３を備えている。一対のガイドシャフト９３３は互いに平行となるように配置されており、光ピックアップ９５の移動をガイドする。また、昇降シャーシ９３には、光ピックアップ９５を移動させるための駆動機構９６が備えられている。
【０００６】
光ピックアップ９５は駆動機構９６からの駆動力が伝達される駆動力伝達部９５１と、ガイドシャフト９３３にガイドされるガイド部９５２とを備えている。一対のガイドシャフト９３３、９３３は駆動力伝達部９５１及びガイド部９５２を貫通しており、光ピックアップ９５は一対のガイドシャフト９３３にガイドされて直線往復移動し、ディスク駆動部９４に対して接近離反する。これにより、光ピックアップ９５は再生／記録用のレーザ光を光ディスクの径方向に走査している（特開２００７−１４９２４４号公報、特開２００６−１７９０７０号公報等参照）。
【０００７】
駆動機構９６は光ピックアップ９５が配置された配置孔９３０に配置されている。駆動機構９６は駆動力を発生するためのステッピングモータ９６１と、ステッピングモータ９６１の回転軸に接続され、表面に螺旋溝が形成されたリードスクリュー９６２と、ステッピングモータ９６１を保持するとともに、リードスクリュー９６２をたわまないように回動可能に支持するホルダ部９６０とを備えている。
【０００８】
光ピックアップ９５の駆動力伝達部９５１は、外部に向けて突出して形成された伝達歯部９５４を備えており、伝達歯部９５４の先端がリードスクリュー９６２のらせん状の溝と係合している。伝達歯部９５４をリードスクリュー９６２の螺旋溝に係合させた状態でステッピングモータ９６１を駆動し、リードスクリュー９６２を回転させることで伝達歯部９５４が螺旋溝に押され、回転を直線運動に変換し、直線運動に変換された力が光ピックアップ９５に伝達される。これにより、光ピックアップ９５は一対のガイドシャフト９３３に沿って直線移動する。
【０００９】
光ピックアップ９５は通常、配置孔９３０の内部を直線上に往復するように配置されているが、誤作動等によって、光ピックアップ９５の駆動力伝達部９５１が配置孔９３０の縁部と接触してしまうことがある。光ピックアップ９５の光学系は衝撃に弱く、また、光ピックアップ９５の本体が配置孔９３０の縁部と接触するのもよくない。
【００１０】
そこで、図９に示す光ディスク装置Ｃでは、光ピックアップ９５は配置孔９３０の辺縁部と衝突するとき、駆動力伝達部９５１が最初に辺縁部と接触するように形成されている。そして、駆動力伝達部９５１の最初に辺縁部と接触する部分に弾性変形可能な形状（図９に示すように、薄板を折り曲げた樹脂ばね形状）の緩衝部９５３が形成されている。
【００１１】
このように、駆動力伝達部９５１の配置孔９３０の辺縁部と接触する部分に緩衝部９５３を形成することで、光ピックアップ９５が配置孔９３０の辺縁部に衝突したとき、緩衝部９５３が弾性変形し衝撃を吸収することができ、光ピックアップ９５の光学系に衝撃が加わるのを抑制することが可能である。
【００１２】
近年、光ディスク装置は小型化する傾向にあり、光ディスク装置に配置される部材も小型化、集密化されてきている。図９に示すように光ディスク装置Ｃにおいても、伝達歯部９５４がリードスクリュー９６２とステッピングモータ９６１との連結部に来たとき、光ピックアップ９５が配置孔９３０のストッパ部９３０１と接触するように形成されている。これにより、リードスクリュー９６２を短くし、光ディスク装置Ｃを小型化することができる。また、リードスクリュー９６２が短くなることで、リードスクリュー９６２のねじれ量を小さくすることができ、光ピックアップ９５を精度良く移動させることが可能である。
【先行技術文献】
【特許文献】
【００１３】
【特許文献１】特開２００７−１４９２４４号公報
【特許文献２】特開２００６−１７９０７０号公報
【発明の概要】
【発明が解決しようとする課題】
【００１４】
光ディスク装置Ｃを落下させてしまったり、光ディスク装置Ｃの外部に物体が衝突したりして、緩衝部９５３で吸収しきれない大きな衝撃が光ピックアップ９５に作用する場合がある。所定の大きさの衝撃は緩衝部９５３が変形し、吸収して、光ピックアップ９５の緩衝部９５３以外の部分に大きな衝撃が伝播されることはない。
【００１５】
しかしながら、設計時に想定されているよりも大きな衝撃が作用した場合、緩衝部９５３では衝撃を吸収しきれない場合がある。図９に示す光ピックアップ９５では、緩衝部９５３が貫通孔の辺縁部と接触した状態のとき、伝達歯部９５４がホルダ部９６０と隙間がほとんどない状態であり、大きな衝撃が作用し、緩衝部９５３で吸収し切れなかった場合、伝達歯部９５４とホルダ部９６０とが接触し、ホルダ部９６０から伝達歯部９５４は大きな衝撃（力）を受ける。
【００１６】
図９に示すように、伝達歯部９５４は駆動力伝達部９５１より突出した形状を有するものであり、伝達歯部９５４と駆動力伝達部９５１との接続部に応力が集中し、伝達歯部９５４が変形し、光ピックアップ９５の駆動の精度が低下してしまう不具合生じる場合がある。
【００１７】
さらに大きな衝撃が作用すると、伝達歯部９５４が破壊されて、リードスクリュー９６２からの駆動力を光ピックアップ９５に伝達できなくなり、光ピックアップ９５を駆動できなくなる不具合が発生する場合がある。
【００１８】
そこで本発明は、衝撃や振動を受けた後でも、情報の記録／再生を正確に行うことができる光ディスク装置を提供することを目的とする。
【課題を解決するための手段】
【００１９】
上記目的を達成するために本発明は、側部に設けられ、シャーシに取り付けられた回転自在のリードスクリューの溝に嵌合し、前記リードスクリューの回転を直線運動に変換する伝達歯部と、直線移動の先端部に設けられた緩衝部とを備え、回転している光ディスクに光を照射し情報の記録／再生を行う光ピックアップであって、前記緩衝部は前記シャーシに形成されたストッパ部と接触する平板状の接触部と、前記接触部と前記先端部とを連結する連結部とを備えており、前記連結部は前記光ピックアップの移動の中心線よりも、前記リードスクリュー側に配置されており、前記先端部と連結する側の端部が前記リードスクリューから離れる方向に曲がるように形成されていることを特徴とする。
【００２０】
この構成によると、外部からの衝撃によって光ピックアップが前記シャーシに衝突した場合であっても、光ピックアップに駆動力を伝達する伝達歯部が前記シャーシ又は前記シャーシに取り付けられている部材と衝突するのを抑制することができる。また、衝突したとしても、衝撃を小さくすることが可能である。
【００２１】
このことにより、光ピックアップに衝撃が作用しても、前記伝達歯部が変形したり、破損したりする不具合が発生するのを抑制することができるので、衝撃が作用した後、伝達歯部はリードスクリューの回転を直線運動に精度良く変換することが可能である。これにより、光ピックアップは衝撃が作用した後でも、駆動に不具合を生じることがなく、光ディスクへの情報の記録又は光ディスクからの情報の再生を正確に行うことが可能である。
【００２２】
上記構成において、前記光ピックアップは前記シャーシに設けられたガイドシャフトと係合し、前記リードスクリューからの動力が伝達される駆動力伝達部を備えており、前記先端部、前記緩衝部及び前記伝達歯部が前記駆動力伝達部に備えられていてもよい。
【００２３】
この構成によると、少なくとも駆動力伝達部は光ピックアップの重心よりも、前記リードスクリュー側に配置されており、その先端部に緩衝部が形成されているので、前記連結部の曲げ方向のみ考慮すればよく、容易に光ピックアップを作製することが可能である。
【００２４】
上記構成において、前記連結部として前記駆動力伝達部の移動方向の中心線よりもリードスクリュー側にずれた位置に設けられているものをあげることができる。
【００２５】
上記構成において、前記接触部は矩形状の平板部材であり、前記連結部は少なくとも前記接触部の前記伝達歯部が設けられている側の縁部と前記先端部とを連結しているものであってもよい。
【００２６】
上記構成において、前記連結部は前記光ピックアップの移動方向と直交する面で切断した断面がＬ字形状のものであってもよい。
【発明の効果】
【００２７】
本発明によると、衝撃や振動を受けた後でも、情報の記録／再生を正確に行うことができる光ディスク装置を提供することができる。
【図面の簡単な説明】
【００２８】
【図１】光ディスクを用いて情報の記録／再生を行う光ディスク装置の一例であるＢＤ（ブルーレイ）レコーダの斜視図である。
【図２】本発明にかかる光ピックアップ装置を用いた光ディスク装置の概略配置図である。
【図３】図２に示す光ディスク装置の昇降シャーシを拡大した図である。
【図４】本発明にかかる光ピックアップの緩衝部を拡大した図である。
【図５】本発明にかかる光ピックアップがストッパ部に向かって移動しているときの緩衝部の拡大図である。
【図６】図５に示す緩衝部が変形した状態を示す拡大図である。
【図７】緩衝部がストッパ部に衝突したときの光ピックアップの駆動力伝達部の拡大図である。
【図８】本発明にかかる光ピックアップの他の例の緩衝部を拡大した斜視図である。
【図９】従来の光ディスク装置を上方から見た概略構成図である。
【発明を実施するための形態】
【００２９】
以下に本発明の実施形態を図面を参照して説明する。図１は光ディスクを用いて情報の記録／再生を行う光ディスク装置の一例であるＢＤ（ブルーレイ）レコーダの斜視図である。図１に示すように、ＢＤレコーダＲｄは、筐体Ｏｈの内部に光ディスク装置Ａが配置されており、筐体Ｏｈの正面に配置されたフロントパネルＦｐに形成された開口Ｓｔより突出した光ディスク装置Ａの後述するディスクトレイ２に光ディスクを載せて、光ディスク装置Ａの内部に搬送するものである。
【００３０】
図２は本発明にかかる光ピックアップを用いた光ディスク装置の概略配置図であり、図３は図２に示す光ディスク装置の昇降シャーシを拡大した図である。光ディスク装置Ａは、光ディスクに光（レーザ光）を照射することで情報を記録及び（又は）再生するものである。図２に示すように光ディスク装置Ａは枠体であるメインシャーシ１と、メインシャーシ１に摺動可能に配置されたディスクトレイ２と、メインシャーシ１に支持されディスクトレイ２に対して昇降する昇降シャーシ３とを備えている。なお、以下、説明の便宜上、図２に示す光ディスクＤｓを載置したディスクトレイ２の移動方向に合わせて、ディスクトレイ２が挿入される方向を後方向Ｒ、ディスクトレイ２が排出される方向を前方向Ｆとする。
【００３１】
ディスクトレイ２は光ディスクＤｓを載置し、メインシャーシ１の内部に挿入又はメインシャーシ１の内部から外部に排出されるトレイである。ディスクトレイ２は平面長方形状の部材であり、上面に光ディスクＤｓを適切な位置に配置するための円形の凹部が形成されている。光ディスクＤｓを凹部に配置することで、ディスクトレイ２がメインシャーシ１の内部に収容されたとき、光ディスクＤｓを昇降シャーシ３に対して適切な位置に配置することが可能である。
【００３２】
昇降シャーシ３は平面視長方形状の部材であり、長手方向一方の端部に取り付け孔３１が形成されている。この取り付け孔３１をメインシャーシ１に形成されているボス１０が貫通している。ボス１０と取り付け孔２１との間には隙間が形成されており、その隙間にはフローティングゴム（ダンパー）１００が配置されている。これにより、昇降シャーシ３は取り付け孔３１を中心に回動可能となっている。
【００３３】
そして、昇降シャーシ３のＦ側にはディスク駆動部４が配置されている。ディスク駆動部４は駆動力が出力されるモータ４１と、モータ４１の出力軸に固定されたターンテーブル４２とを備えている。
【００３４】
メインシャーシ１にはディスクトレイ２の移動方向と直交する方向に移動するスライダ１１が備えられている。ディスクトレイ２が所定の位置に移動したときに、スライダ１１はディスクトレイ２から力を受けて移動する。また、スライダ１１にはカム溝が形成されており、そのカム溝には昇降シャーシ３の長手方向他方の端部より突出したスライダボス３２が摺動可能に挿入されている。スライダ１１の移動によって、スライダボス３２がカム溝に押され、昇降シャーシ３は昇降する。
【００３５】
昇降シャーシ３は光ディスクＤｓを載置したディスクトレイ２がメインシャーシ１の所定の位置に挿入されたとき駆動され、昇降シャーシ３のＦ側がディスクトレイ２に対して上昇する。ディスク駆動部３のＦ側に配置されているディスク駆動部４はディスクトレイ２に形成されている貫通孔を通過する。昇降シャーシ３のＦ側がさらに上昇すると、ディスク駆動部４のターンテーブル４２によって光ディスクＤｓがディスクトレイ２より持ち上げられる。
【００３６】
このとき、ターンテーブル４２の中央に凸部が形成されており、その凸部が光ディスクＤｓの中央に形成されている貫通孔を貫通する。さらに、ターンテーブル４２が光ディスクＤｓを持ち上げたとき、ディスク駆動部４の中心と光ディスクＤｓの中心とが一致する。メインシャーシ１にはターンテーブル４２と対向し、回動可能に配置されたクランパ（不図示）を備えており、ターンテーブル４２とクランパで光ディスクＤｓを挟着する。
【００３７】
昇降シャーシ３には、光ディスクＤｓに情報の再生／記録のための光を照射させる光ピックアップ５と、光ピックアップ５を移動させる駆動機構６とが備えられている。昇降シャーシ３には、光ピックアップ５を摺動可能に配置するための配置孔３０が形成されている。さらに、昇降シャーシ３は配置孔３０を横切り、互いに平行に配置された一対のガイドシャフト３３を備えている。光ピックアップ５はガイドシャフト３３にガイドされ、ディスク駆動部４に対して接近／離反するように直線的に移動する。ガイドシャフト３３は両端部がばね等の弾性部材を介して変位可能に取り付けられている。
【００３８】
ガイドシャフト３３が昇降シャーシに弾性部材を介して取り付けられているので、昇降シャーシ３からガイドシャフト３３へ入力される衝撃、振動等が緩衝され、光ピックアップ５へ入力される衝撃、振動を低減することが可能である。そして、光ピックアップ５が駆動するときの振動やぶれも弾性部材で吸収することができるので、光ピックアップ５の動作を安定させることができる。
【００３９】
光ピックアップ５は、本体部５０と、一方のガイドシャフト３３が挿入され、駆動機構６からの駆動力が伝達される駆動力伝達部５１と、駆動力伝達部５１と反対側に形成され、他方のガイドシャフト３３が挿入されるガイド部５２とを備えている。本体部５０、駆動力伝達部５１及びガイド部５２とは、樹脂の一体成形で形成された部材である。本体部５０は駆動力伝達部５１と、ガイド部５２との間に配置されており、光ディスクＤｓと対向する面には、光ディスクＤｓの種類（ＣＤ、ＤＶＤ、ＢＤ）に対応した波長のレーザ光を出射するレーザ光学系５０１が配置されている。駆動力伝達部５１の詳細については後述する。
【００４０】
駆動機構６は光ピックアップ５に並んで配置されている。駆動機構６は駆動力を発生するためのステッピングモータ６１と、ステッピングモータ６１の回転軸に接続され、表面に螺旋溝が形成されたリードスクリュー６２と、ステッピングモータ６１を保持するとともに、リードスクリュー６２をたわまないように回動可能に支持するホルダ部６０とを備えている。なお、リードスクリュー６２はステッピングモータ６１の回転軸と一体に形成されているものでも良く、回転軸に強固に固定されているものであってもよい。
【００４１】
駆動機構６のホルダ部６０は、リードスクリュー６２の先端部を保持するスクリューホルダ６０１と、ステッピングモータ６１を保持するモータホルダ６０２とを備えている。昇降シャーシ３の配置孔３０に固定されており、リードスクリュー６２とガイドシャフト３３とが平行となっている。駆動機構６は一対のガイドシャフト３３で挟まれた部分の外側に配置されている。
【００４２】
駆動力伝達部５１はリードスクリュー６２の螺旋溝と係合する伝達歯部５１１を備えている。リードスクリュー６２が回転することで、伝達歯部５１１が螺旋溝に押されてリードスクリュー６２の軸方向（すなわち、光ディスクＤｓの径方向）に直線移動する。配置孔３０には、光ピックアップ５がディスク駆動部４の反対側に可動範囲をこえて駆動された場合、光ピックアップ５の駆動力伝達部５１が接触するストッパ部３０１が形成されている。また、駆動力伝達部５１には、配置孔３０のストッパ部３０１と接触し、衝撃を緩和させるための緩衝部５３が備えられている。
【００４３】
伝達歯部５１１は光ピックアップ５がディスク駆動部４側に移動したとき、リードスクリュー６２の先端側と係合しており、スクリューホルダ６０１と近接又は接触している。また、ディスク駆動部４と離れた側に移動したとき、リードスクリュー６２のステッピングモータ６１との連結部側の端部と係合しており、モータホルダ６０２と近接あるいは接触している。
【００４４】
光ピックアップ５がその移動範囲の両端部に移動したとき、係合歯部５１１がスクリューホルダ６０１及びモータホルダ６０２と近接あるいは接触するように駆動機構６を形成することで、リードスクリュー６２の長さを短くすることができる。これにより、駆動機構６は配置場所の制約を受けにくい。さらに、リードスクリュー６２が短いことで、ねじれ量が小さくなり、光ピックアップ５の移動の精度を高めることが可能である。
【００４５】
本発明にかかる光ピックアップの緩衝部の詳細について図面を参照して説明する。図４は本発明にかかる光ピックアップの緩衝部を拡大した図である。図４に示すように、緩衝部５３は配置孔３０のストッパ部３０１と接触する矩形板状の接触部５３１と、接触部５３１とガイド部５２の先端との間に介在される連結部５３２とを備えている。接触部５３１及び連結部５３２は駆動力伝達部５１の先端と一体に形成されている。図４に示すように、緩衝部５３は樹脂ばね形状となっている。
【００４６】
駆動力伝達部５１の先端部は駆動力伝達部５１の移動方向に垂直な平面で形成されていおり、接触部５３１は駆動力伝達部５１の先端面と平行に形成されている。連結部５３２は接触部５３１の４個の辺縁部のうち駆動力伝達部６側の辺縁部と連結されている。
【００４７】
なお、光ピックアップ５が通常駆動しているときに、誤作動等で駆動機構６からの駆動力によって緩衝部５３がストッパ部３０１と接触することがある。光ピックアップ５は駆動機構６から伝達される駆動力にて移動しているので、衝突の衝撃は小さい。この場合、緩衝部５３で衝撃が吸収されるので、駆動力伝達部５１の伝達歯部５１１とモータホルダ６０２とが衝突するときの衝撃は緩和されており、伝達歯部５１１にダメージが発生しにくい。
【００４８】
光ディスク装置ＡをＲ方向に落下させて緩衝部５３に大きな衝撃が作用した場合について図面を参照して説明する。図５は本発明にかかる光ピックアップがストッパ部に向かって移動しているときの緩衝部の拡大図であり、図６は図５に示す緩衝部が変形した状態を示す拡大図であり、図７は緩衝部がストッパ部に衝突したときの光ピックアップの駆動力伝達部の拡大図である。なお、本実施形態では、落下による大きな衝撃が光ピックアップに作用した場合を例に説明しているが、それに限定されるものではない。また、図６及び図７の緩衝部は理解を容易にするために、変形量を実際の光ピックアップよりも大きく表示している。
【００４９】
光ディスク装置Ａが高所からＲ方向を下に向けて床面に落下したとき、光ピックアップ５も慣性力でガイドシャフト３３に沿ってＲ方向に摺動し、駆動力伝達部５１の先端に形成されている緩衝部５３が配置孔３０のストッパ部３０１と衝突する（図５参照）。
【００５０】
図５に示すように、駆動力伝達部５１の先端部は連結部５３２との連結している部分で支持された片持ち梁様になっている。衝突によって駆動力伝達部５１には移動方向に衝撃荷重が作用し、片持ち梁様に形成された駆動力伝達部５の移動方向に分布荷重として作用し、曲げモーメントが発生する。この曲げモーメントによって連結部５３２は駆動機構６と反対側に曲がる（図６参照）。また、連結部５３２には光ピックアップ５の移動方向、すなわち、圧縮方向にも衝撃力が作用する。これにより、連結部５３２は弾性的に曲げ、圧縮の力が作用し、緩衝部５３が弾性ばねとして衝撃を吸収する働きも備えている。
【００５１】
光ピックアップ５に衝撃が作用し、緩衝部５３の連結部５３２が変形することで、駆動力伝達部５１及び伝達歯部５１１は駆動機構６（リードスクリュー６２）と反対側に向かって移動する。駆動力伝達部５１はガイドシャフト３３と係合しており、ガイドシャフト３３の変位量を上限として、駆動機構６から離れるように移動することができる。
【００５２】
図７に示すように、連結部５３２が衝撃によって変形することで、駆動力伝達部５１および伝達歯部５１１に押され、ガイドシャフト３３も駆動機構６から離れる方向に移動する。光ピックアップ５は連結部５３２と接触部５３１との接続部を中心に回転するので、駆動力伝達部５１より突出して配置された伝達歯部５１１はホルダ部６０のモータホルダ６０２から離れる方向に移動する。これにより、伝達歯部５１１とモータホルダ６０２との衝突を回避することができる、或いは衝突したとしても伝達歯部５１１に加えられる衝撃を小さくすることができる。
【００５３】
このことにより、光ピックアップ５がストッパ部３０１に強い勢いで衝突しても、伝達歯部５１１のモータホルダ６０２と衝突によって、伝達歯部５１１が破損／変形してしまったり、伝達歯部５１１が駆動力伝達部５１から分離してしまったりするのを抑制することができ、光ピックアップ５が駆動しなくなってしまう不具合を抑制することが可能である。なお、緩衝部５３の弾性定数（ばね定数）は連結部５３２の断面積と、断面係数で異なる。本願においては、衝撃によって破損せず、且つ、伝達歯部５１１がモータホルダ６０２と接触しないように変形できるものを広く採用することが可能である。
【００５４】
本発明にかかる光ピックアップの他の例について図面を参照して説明する。図８は本発明にかかる光ピックアップの他の例の緩衝部を拡大した斜視図である。図８に示すように光ピックアップ５ｂの緩衝部５３ｂの連結部５３２ｂは光ピックアップ５ｂの摺動方向と直交する面で切断した断面形状がＬ字状に形成されており、接触部５３１ｂの４個の辺縁部のうち隣り合う２個の辺縁部と連結されている。接触部５３１ｂの連結部５３２ｂが連結される辺縁部のひとつは、光ディスクＤｓから遠い辺縁部であり、もうひとつは駆動機構６に近い辺縁部である。
【００５５】
このように、断面Ｌ字形状の連結部５３２ｂを備えている場合、図４に示されている、ひとつの辺で連結されるものに比べて、連結部５３２ｂの断面を大きくでき、ばね定数を上げることが可能である。これにより、光ピックアップ５ｂは光ピックアップ５に比べて大きな衝撃力が作用した場合でも耐えることが可能である。また、駆動機構６と反対側には連結部５３２ｂが形成されていないので、光ピックアップ５ｂは衝突によって、接触部５３１ｂの対角線の連結部５３２ｂの角が形成されている側から反対側に向かう方向（図８の矢印ａｒ１）に回動するので、伝達歯部がホルダと接触するのも抑制することが可能である。
【００５６】
なお、本実施形態では、光ディスクＤｓと反対側に連結部５３２ｂの一部が形成されているものを例に説明しているが、反対側でもよい。このように形成することで、光ディスクＤｓが挿入されているときに、落下させてしまった場合に、光ピックアップ５ｂの移動によって、光ピックアップ５ｂが光ディスクＤｓと接触して、光ピックアップ５ｂのレーザ光学系及び（又は）光ディスクＤｓが破損してしまうのを抑制することが可能である。なお、落下は多くの場合運搬中に起こることが多く、光ディスクＤｓが内部に挿入されていることは少なく、図８に示すように連結部５３２ｂを形成していても、光ピックアップ５ｂと光ディスクＤｓが接触することは少ない。
【００５７】
なお、上記実施例では光ピックアップの駆動力伝達部のＲ側の先端側に緩衝部が形成されているものを例に説明しているが、それに限定されるものではなく、Ｆ側の先端側に形成されているものであっても良く、両方の先端側に形成されていても良い。また、連結部が接触部の辺縁部と連結しているもので説明しているが、これには限定されず、緩衝部がストッパ部と接触したときに、駆動力伝達部が駆動機構から遠ざかるように回動するように配置されているものを広く採用することができる。
【００５８】
上記実施形態において、駆動力伝達部の先端に形成されている緩衝部を有する光ディスク装置を例に説明しているが、それに限定されるものではなく、緩衝部が配置される部分として、光ピックアップが配置孔の辺縁部と最初に接触する部分を採用することができる。このとき、係合歯部がリードスクリューから離れるように連結部を変形させるために、光ピックアップの衝突時に、係合歯部がリードスクリューから離れる方向のモーメントを連結部に作用させればよい。そのため、連結部は光ピックアップの重心が通る線よりも、リードスクリュー側に形成されているものをあげることができる。これにより、光ピックアップが衝突したときに、連結部には係合歯部がリードスクリューから離れる方向にモーメントが作用する。
【００５９】
上記実施形態において、光ディスク装置として、光ディスクをディスクトレイに載置して、光ディスク装置に対して挿入／排出するトレイローディング方式の光ディスク装置で説明しているが、光ディスクをそのまま光ディスク装置に挿入するスロットインタイプの光ディスク装置にも採用可能である。
【００６０】
上記実施形態の説明は、本発明を説明するためのものであって、特許請求の範囲に記載の発明を限定し、或は範囲を減縮する様に解すべきではない。本発明の各部構成は上記実施形態に限らず、特許請求の範囲に記載の技術的範囲内で種々の変形が可能であることは勿論である。
【産業上の利用可能性】
【００６１】
本発明は、光ディスクに光を照射することで情報の記録／再生を行う光ディスク装置であって、衝撃を受けた直後でも、動作が不安定になりにくく、正確に情報の記録又は再生を行うことができる光ディスク装置に利用することができる。
【符号の説明】
【００６２】
Ａ  光ディスク装置
１  メインシャーシ
１０  ボス
１００  フローティングゴム
１１  スライダ
２  ディスクトレイ
３  昇降シャーシ
３０  配置孔
３０１  ストッパ部
３１  取り付け孔
３２  スライダボス
３３  ガイドシャフト
４  ディスク駆動部
４１  駆動モータ
４２  ターンテーブル
５  光ピックアップ
５０  本体
５０１  レーザ光学系
５１  駆動力伝達部
５１１  係合歯部
５２  ガイド部
５３  緩衝部
５３１  接触部
５３２  連結部
６  駆動機構
６０  ホルダ部
６０１  スクリューホルダ
６０２  モータホルダ
６１  ステッピングモータ
６２  リードスクリュー
Ｄｓ  光ディスク
【図１】
2010176721.tif 000003
【図２】
2010176721.tif 000004
【図３】
2010176721.tif 000005
【図４】
2010176721.tif 000006
【図５】
2010176721.tif 000007
【図６】
2010176721.tif 000008
【図７】
2010176721.tif 000009
【図８】
2010176721.tif 000010
【図９】
2010176721.tif 000011